(57)【要約】【課題】無駄な電圧の印加を避ける。【解決手段】給電装置から印加された電圧を用いて動作する電話機にて、印加された電圧に基づいて、当該電話機と接続された外部装置へ所定の電圧を印加し、外部装置へ流れる電流を検出し、電流を検出しない場合、外部装置への電圧の印加を遮断する。【選択図】図１
2010050519.tif 000002
【特許請求の範囲】
【請求項１】
給電装置から印加された電圧を用いて動作する電話機であって、
前記印加された電圧に基づいて、当該電話機と接続された外部装置へ所定の電圧を印加する接続ポートと、
前記外部装置へ流れる電流を検出する電流検出部と、
前記電流検出部が前記電流を検出しない場合、前記接続ポートからの電圧の印加を遮断する給電制御部とを有する電話機。
【請求項２】
請求項１に記載の電話機において、
前記給電装置から印加された電圧を、前記外部装置へ印加する電圧へ変圧する変圧器を有することを特徴とする電話機。
【請求項３】
請求項１または請求項２に記載の電話機において、
前記接続ポートは、該接続ポート内の１対の信号線を用いて、前記外部装置へ前記電圧を印加することを特徴とする電話機。
【請求項４】
請求項３に記載の電話機において、
前記給電装置から前記電圧が印加される給電ポートを有し、
前記給電ポートは、ＬＡＮ（Ｌｏｃａｌ  Ａｒｅａ  Ｎｅｔｗｏｒｋ）と接続可能なポートであることを特徴とする電話機。
【請求項５】
請求項４に記載の電話機において、
前記接続ポートは、ＬＡＮと接続可能なポートであることを特徴とする電話機。
【請求項６】
請求項４または請求項５に記載の電話機において、
ＩＥＥＥ８０３．３ａｆの規格で動作することを特徴とする電話機。
【請求項７】
請求項１乃至６のいずれか１項に記載の電話機において、
ＩＰ（Ｉｎｔｅｒｎｅｔ  Ｐｒｏｔｏｃｏｌ）電話機であることを特徴とする電話機。
【請求項８】
給電装置から印加された電圧を用いて動作する電話機における給電方法であって、
前記印加された電圧に基づいて、前記電話機と接続された外部装置へ所定の電圧を印加する処理と、
前記外部装置へ流れる電流を検出する処理と、
前記電流を検出しない場合、前記外部装置への電圧の印加を遮断する処理とを有する給電方法。
【請求項９】
給電装置から印加された電圧を用いて動作する電話機に、
前記印加された電圧に基づいて、前記電話機と接続された外部装置へ所定の電圧を印加する手順と、
前記外部装置へ流れる電流を検出する手順と、
前記電流を検出しない場合、前記外部装置への電圧の印加を遮断する手順とを実行させるプログラム。
【発明の詳細な説明】
【技術分野】
【０００１】
本発明は、電話機および電話機を用いた給電方法に関し、特にＩＰ（Ｉｎｔｅｒｎｅｔ  Ｐｒｏｔｏｃｏｌ）のプロトコルを使用する電話機および電話機を用いた給電方法に関する。
【背景技術】
【０００２】
近年、非シールドより対線（ＵＴＰ）でデータ伝送と同時に電源を供給する方式（規格：ＩＥＥＥ８０２．３ａｆ）が普及している。
【０００３】
この規格を用いることにより、例えば、ＬＡＮ（Ｌｏｃａｌ  Ａｒｅａ  Ｎｅｔｗｏｒｋ）ケーブルを用いて２つの装置間を接続するだけで、当該装置間にてデータの送受信と電源の供給とが同時に実現可能となる。
【０００４】
図４は、ＩＥＥＥ８０２．３ａｆを用いて給電を行う一般的な接続形態の一例を示す図である。
【０００５】
図４に示した形態は、給電ＨＵＢ（ハブ）１０００と、ＩＰ（Ｉｎｔｅｒｎｅｔ  Ｐｒｏｔｏｃｏｌ）電話機１０１０−１〜１０１０−３と、外部接続機器１０２０−１〜１０２０−３とから構成されている。
【０００６】
給電ＨＵＢ１０００は、複数のポート１００１を有し、ポート１００１からＩＰ電話機１０１０−１〜１０１０−３および外部接続機器１０２０−１〜１０２０−３へ給電を行う給電装置である。ここでの給電方法は、ＩＥＥＥ８０２．３ａｆの規格に基づくものであり、ポート１００１とＩＰ電話機１０１０−１〜１０１０−３、外部接続機器１０２０−１〜１０２０−３とを接続するケーブルに含まれる信号線のうち、１対の信号線に所定の電圧を印加することにより行われる。ポート１００１は、ＬＡＮ（Ｌｏｃａｌ  Ａｒｅａ  Ｎｅｔｗｏｒｋ）ケーブルが接続可能である。また、給電ＨＵＢ１０００は、ＩＥＥＥ８０３．３ａｆの規格で動作可能であり、データの送受信を行うＬＡＮケーブル内の１対のペア線を用いて、ＩＰ電話機１０１０−１〜１０１０−３へ電圧を印加することが可能である。
【０００７】
ＩＰ電話機１０１０−１〜１０１０−３は、給電ＨＵＢ１０００と接続され、給電ＨＵＢ１０００のポート１００１から所定の電圧が印加（給電）される電話機である。また、ＩＰ電話機１０１０−１〜１０１０−３は、ＩＥＥＥ８０３．３ａｆの規格で動作可能であり、データの送受信を行うＬＡＮケーブル内の１対のペア線を用いて、給電ＨＵＢ１０００から所定の電圧が印加される。
【０００８】
外部接続機器１０２０−１〜１０２０−３は、給電ＨＵＢ１０００と接続され、給電ＨＵＢ１０００のポート１００１から所定の電圧が印加（給電）される外部装置である。また、外部接続機器１０２０−１〜１０２０−３は、ＩＥＥＥ８０３．３ａｆの規格で動作可能であり、データの送受信を行うＬＡＮケーブル内の１対のペア線を用いて、給電ＨＵＢ１０００から所定の電圧が印加される。
【０００９】
なお、ＩＰ電話機１０１０−１〜１０１０−３の台数、および外部接続機器１０２０−１〜１０２０−３の台数は、３台に限らず、任意で良い。
【００１０】
しかしながら、図４に示した形態においては、同じ配置場所に給電ＨＵＢ１０００とＩＰ電話機１０１０−１〜１０１０−３および外部接続機器１０２０−１〜１０２０−３とを接続する場合、給電ＨＵＢ１０００からケーブルの配線をＩＰ電話機１０１０−１〜１０１０−３と外部接続機器１０２０−１〜１０２０−３との台数分、準備する必要がある。そのため、配置状況によっては、給電ＨＵＢ１０００のポート１００１の数の不足が発生してしまう。
【００１１】
そこで、給電ＨＵＢ１０００の使用するポート１００１の数を削減するシステムが考えられている（例えば、特許文献１参照。）。
【００１２】
図５は、給電ＨＵＢの使用するポートの数の削減対策を施した接続形態の一例を示す図である。
【００１３】
図５に示した形態は、給電ＨＵＢ１０００と、ＩＰ電話機１０１１−１〜１０１１−３と、外部接続機器１０２０−１〜１０２０−３とから構成されている。
【００１４】
給電ＨＵＢ１０００は、図４に示したものと同じものである。
【００１５】
ＩＰ電話機１０１１−１〜１０１１−３は、給電ＨＵＢ１０００と接続され、給電ＨＵＢ１０００のポート１００１から所定の電圧が印加（給電）される電話機である。また、ＩＰ電話機１０１１−１〜１０１１−３は、外部接続機器１０２０−１〜１０２０−３とそれぞれ接続され、給電ＨＵＢ１０００から印加された電圧を用いて外部接続機器１０２０−１〜１０２０−３へ所定の電圧を印加（給電）する。また、ＩＰ電話機１０１１−１〜１０１１−３は、ＩＥＥＥ８０３．３ａｆの規格で動作可能であり、データの送受信を行うＬＡＮケーブル内の１対のペア線を用いて、給電ＨＵＢ１０００から所定の電圧が印加される。また、ＩＰ電話機１０１１−１〜１０１１−３は、ＬＡＮケーブル内の１対のペア線を用いて、外部接続機器１０２０−１〜１０２０−３へ所定の電圧を印加する。
【００１６】
外部接続機器１０２０−１〜１０２０−３は、図４に示したものと同じものである。ただし、動作するための電圧は、ＩＰ電話機１０１１−１〜１０１１−３からそれぞれ印加（供給）される。このとき、データの送受信を行うＬＡＮケーブル内の１対のペア線を用いて、ＩＰ電話機１０１１−１〜１０１１−３それぞれから所定の電圧が印加される。
【００１７】
なお、ＩＰ電話機１０１１−１〜１０１１−３の台数、および外部接続機器１０２０−１〜１０２０−３の台数は、３台に限らず、任意で良い。
【００１８】
図５に示したＩＰ電話機１０１１−１〜１０１１−３を用いて外部接続機器１０２０−１〜１０２０−３を接続することにより、給電ＨＵＢ１０００の使用するポート１００１の数を削減することができる。
【特許文献１】特開２００５−２６９８９０号公報
【発明の開示】
【発明が解決しようとする課題】
【００１９】
しかしながら、上述した形態においては、ＩＰ電話機１０１１−１〜１０１１−３において、外部接続機器１０２０−１〜１０２０−３が接続されているか否かにかかわらず、ＩＰ電話機１０１１−１〜１０１１−３から所定の電圧を印加し続ける。そのため、ＩＰ電話機１０１１−１〜１０１１−３に外部接続機器１０２０−１〜１０２０−３が接続されていない場合、無駄な電圧の印加が生じてしまうという問題点がある。
【００２０】
本発明は、上述した課題を解決する電話機および電話機を用いた給電方法を提供することを目的とする。
【課題を解決するための手段】
【００２１】
上記目的を達成するために本発明は、
給電装置から印加された電圧を用いて動作する電話機であって、
前記印加された電圧に基づいて、当該電話機と接続された外部装置へ所定の電圧を印加する接続ポートと、
前記外部装置へ流れる電流を検出する電流検出部と、
前記電流検出部が前記電流を検出しない場合、前記接続ポートからの電圧の印加を遮断する給電制御部とを有する。
【００２２】
また、給電装置から印加された電圧を用いて動作する電話機における給電方法であって、
前記印加された電圧に基づいて、前記電話機と接続された外部装置へ所定の電圧を印加する処理と、
前記外部装置へ流れる電流を検出する処理と、
前記電流を検出しない場合、前記外部装置への電圧の印加を遮断する処理とを有する。
【００２３】
また、給電装置から印加された電圧を用いて動作する電話機に実行させるプログラムであって、
前記印加された電圧に基づいて、前記電話機と接続された外部装置へ所定の電圧を印加する手順と、
前記外部装置へ流れる電流を検出する手順と、
前記電流を検出しない場合、前記外部装置への電圧の印加を遮断する手順とを実行させる。
【発明の効果】
【００２４】
以上説明したように本発明においては、給電装置から印加された電圧を用いて動作する電話機にて、印加された電圧に基づいて、当該電話機と接続された外部装置へ所定の電圧を印加し、外部装置へ流れる電流を検出し、電流を検出しない場合、外部装置への電圧の印加を遮断する構成としたため、無駄な電圧の印加を避けることができる。
【発明を実施するための最良の形態】
【００２５】
以下に、本発明の実施の形態について図面を参照して説明する。
【００２６】
図１は、本発明の電話機が接続されたシステムの実施の一形態を示す図である。
【００２７】
本形態は図１に示すように、給電ＨＵＢ（ハブ）１００と、ＩＰ（Ｉｎｔｅｒｎｅｔ  Ｐｒｏｔｏｃｏｌ）電話機１１０−１〜１１０−３と、外部接続機器１２０−１〜１２０−３とから構成されている。
【００２８】
給電ＨＵＢ１００は、複数のポート１０１を有し、ポート１０１からＩＰ電話機１１０−１〜１１０−３へ給電を行う給電装置である。ここでの給電方法は、ＩＥＥＥ８０２．３ａｆの規格に基づくものであり、ポート１０１とＩＰ電話機１１０−１〜１１０−３とを接続するケーブルに含まれる信号線のうち、１対の信号線に所定の電圧を印加することにより行われる。ポート１０１は、ＬＡＮ（Ｌｏｃａｌ  Ａｒｅａ  Ｎｅｔｗｏｒｋ）ケーブルが接続可能である。また、給電ＨＵＢ１００は、ＩＥＥＥ８０３．３ａｆの規格で動作可能であり、データの送受信を行うＬＡＮケーブル内の１対のペア線を用いて、ＩＰ電話機１１０−１〜１１０−３へ電圧を印加することが可能である。
【００２９】
ＩＰ電話機１１０−１〜１１０−３は、給電ＨＵＢ１００と接続され、給電ＨＵＢ１００のポート１０１から所定の電圧が印加（給電）される電話機である。また、ＩＰ電話機１１０−１〜１１０−３は、外部接続機器１２０−１〜１２０−３とそれぞれ接続され、外部接続機器１２０−１〜１２０−３へ所定の電圧を印加（給電）する。また、ＩＰ電話機１１０−１〜１１０−３は、ＩＥＥＥ８０３．３ａｆの規格で動作可能であり、データの送受信を行うＬＡＮケーブル内の１対のペア線を用いて、給電ＨＵＢ１００から所定の電圧が印加される。また、ＩＰ電話機１１０−１〜１１０−３は、ＬＡＮケーブル内の１対のペア線を用いて、外部接続機器１２０−１〜１２０−３へ所定の電圧を印加する。
【００３０】
外部接続機器１２０−１〜１２０−３は、ＩＰ電話機１１０−１〜１１０−３からそれぞれ印加（供給）された電圧を用いて動作する外部装置である。また、外部接続機器１２０−１〜１２０−３は、ＩＥＥＥ８０３．３ａｆの規格で動作可能であり、データの送受信を行うＬＡＮケーブル内の１対のペア線を用いて、ＩＰ電話機１１０−１〜１１０−３それぞれから所定の電圧が印加される。
【００３１】
なお、ＩＰ電話機１１０−１〜１１０−３の台数、および外部接続機器１２０−１〜１２０−３の台数は、３台に限らず、任意で良い。
【００３２】
図２は、図１に示したＩＰ電話機１１０−１の内部構成の一例を示す図である。
【００３３】
図１に示したＩＰ電話機１１０−１には図２に示すように、給電対応ＬＡＮポート２００と、ＬＡＮトランス２０１と、外部機器接続ＬＡＮポート２０２と、ダイオードブリッジ２０３と、電流検出部２０４と、給電制御部２０５と、電源回路２０６とが設けられている。
【００３４】
給電対応ＬＡＮポート２００は、給電ＨＵＢ１００とＩＰ電話機１１０−１とを接続するケーブルが接続される給電ポートである。ここでは、ＬＡＮケーブルが接続される。
【００３５】
ＬＡＮトランス２０１は、給電対応ＬＡＮポート２００に印加された電圧を、外部機器接続ＬＡＮポート２０２から外部接続機器１２０−１へ印加する所定の電圧へ変圧する変圧器である。ここで、所定の電圧とは、外部接続機器１２０−１の動作電圧に応じてあらかじめ設定されたものである。
【００３６】
外部機器接続ＬＡＮポート２０２は、ＩＰ電話機１１０−１と外部接続機器１２０−１とを接続するケーブルが接続される接続ポートである。また、外部機器接続ＬＡＮポート２０２は、ＬＡＮトランス２０１にて変圧された電圧を外部接続機器１２０−１に印加する。
【００３７】
ダイオードブリッジ２０３は、給電対応ＬＡＮポート２００に印加された電圧を整流する一般的なダイオードから構成されるブリッジ回路である。
【００３８】
電流検出部２０４は、外部機器接続ＬＡＮポート２０２から外部接続機器１２０−１へ電流が流れているかどうかを検出（判断）する。この電流の検出方法は、一般的なものであれば良い。
【００３９】
給電制御部２０５は、外部機器接続ＬＡＮポート２０２から外部接続機器１２０−１への電圧の印加を制御する。具体的には、電流検出部２０４が電流を検出した（電流が流れていると判断した）場合、外部機器接続ＬＡＮポート２０２から外部接続機器１２０−１への電圧の印加を継続する。一方、電流検出部２０４が電流を検出しない（電流が流れていないと判断した）場合、外部機器接続ＬＡＮポート２０２から外部接続機器１２０−１への電圧の印加を遮断する。
【００４０】
電源回路２０６は、ＩＰ電話機１１０−１を動作させる電源回路である。
【００４１】
なお、図２には、図１に示したＩＰ電話機１１０−１の構成要素のうち、本発明に関わる要素のみを示した。また、図１に示したＩＰ電話機１１０−２〜１１０−３の内部構成についても、図２に示したＩＰ電話機１１０−１の内部構成と同じである。
【００４２】
以下に、図１に示した形態における給電方法について説明する。ここでは、ＩＰ電話機１１０−１における給電方法について説明する。
【００４３】
図３は、図１および図２に示した形態における給電方法を説明するためのフローチャートである。ここで、給電供給部２０５は、「接続」の状態がデフォルトである。
【００４４】
まず、給電対応ＬＡＮポート２００に給電ＨＵＢ１００から所定の電圧が印加される（受電）と（ステップＳ１）、当該電圧がＬＡＮトランス２０１にて所定の電圧へ変圧される。
【００４５】
また、給電対応ＬＡＮポート２００に印加された電圧がダイオードブリッジ２０３を介して電源回路２０６へ出力される。電源回路２０６へ出力されてきた電圧を用いてＩＰ電話機１１０−１が動作する。
【００４６】
また、ＬＡＮトランス２０１にて変圧された電圧により外部機器接続ＬＡＮポート２０２から外部接続機器１２０−１へ電流が流れているかどうかが、電流検出部２０４にて判断（検出）される（ステップＳ２）。
【００４７】
電流検出部２０４にて電流が検出された（電流が流れていると判断された）場合、外部機器接続ＬＡＮポート２０２から外部接続機器１２０−１への電圧の印加を継続するために、給電制御部２０５にて「接続」の状態が維持される（ステップＳ３）。この「接続」の状態は、給電制御部２０５に単に接続スイッチを設け、このスイッチをＯＮとしたままとすることによるものであっても良い。これにより、外部機器接続ＬＡＮポート２０２から外部接続機器１２０−１への電圧の印加が継続される。
【００４８】
一方、電流検出部２０４にて電流が検出されない（電流が流れていないと判断された）場合、外部機器接続ＬＡＮポート２０２から外部接続機器１２０−１への電圧の印加を遮断するために、給電制御部２０５が「遮断」の状態となる（ステップＳ４）。この「遮断」の状態は、給電制御部２０５に単に接続スイッチを設け、このスイッチをＯＦＦとすることによるものであっても良い。これにより、外部機器接続ＬＡＮポート２０２から外部接続機器１２０−１への電圧の印加が遮断される。
【００４９】
なお、上述したＩＰ電話機１１０−１における給電方法は、ＩＰ電話機１１０−２〜１１０−３においても実現可能であることは言うまでもない。
【００５０】
また、上述したＩＰ電話機１１０−１〜１１０−３の処理は、目的に応じて作製された論理回路で行うようにしても良い。また、処理内容を手順として記述したプログラムをＩＰ電話機１１０−１〜１１０−３にて読取可能な記録媒体に記録し、この記録媒体に記録されたプログラムをＩＰ電話機１１０−１〜１１０−３に読み込ませ、実行するものであっても良い。ＩＰ電話機１１０−１〜１１０−３にて読取可能な記録媒体とは、フロッピーディスク（登録商標）、光磁気ディスク、ＤＶＤ、ＣＤなどの移設可能な記録媒体の他、ＩＰ電話機１１０−１〜１１０−３に内蔵されたＲＯＭ、ＲＡＭ等のメモリやＨＤＤ等を指す。この記録媒体に記録されたプログラムは、ＩＰ電話機１１０−１〜１１０−３内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００５１】
このように、外部接続機器１２０−１〜１２０−３へ流れる電流が検出されない場合、外部接続機器１２０−１〜１２０−３と接続される外部機器接続ＬＡＮポート２０２への電圧の印加を遮断することにより、無駄な電圧の印加を避けることができる。
【図面の簡単な説明】
【００５２】
【図１】本発明の電話機が接続されたシステムの実施の一形態を示す図である。
【図２】図１に示したＩＰ電話機の内部構成の一例を示す図である。
【図３】図１および図２に示した形態における給電方法を説明するためのフローチャートである。
【図４】ＩＥＥＥ８０２．３ａｆを用いて給電を行う一般的な接続形態の一例を示す図である。
【図５】給電ＨＵＢの使用するポートの数の削減対策を施した接続形態の一例を示す図である。
【符号の説明】
【００５３】
１００    給電ＨＵＢ
１０１    ポート
１１０−１〜１１０−３    ＩＰ電話機
１２０−１〜１２０−３    外部接続機器
２００    給電対応ＬＡＮポート
２０１    ＬＡＮトランス
２０２    外部機器接続ＬＡＮポート
２０３    ダイオードブリッジ
２０４    電流検出部
２０５    給電制御部
２０６    電源回路
【図１】
2010050519.tif 000003
【図２】
2010050519.tif 000004
【図３】
2010050519.tif 000005
【図４】
2010050519.tif 000006
【図５】
2010050519.tif 000007